(57)【要約】【課題】太陽光発電システムの配電盤において、北海道など豪雪地帯では雪の粒子が細かいパウダースノーのため防塵フィルタを通過する可能性が高い。パウダースノーは、非常に軽いため風によりギャラリーに直接吹きつけられ、ギャラリーを通過し配電盤内に侵入し易い。パウダースノーが内部に侵入した場合、機器に水分が付着すると安全性を損なう可能性がある。【解決手段】本発明は、太陽光パネルからの直流電力を交流電力に変換するインバータを有したパワーコンディショナと、該パワーコンディショナから出力される交流電力を高圧電力に昇圧する変圧器と、該変圧器と既存の電力系統の間に配置された遮断器とを収納した配電盤であって、前記配電盤の扉部、側面部及び背面部の全面又は一部に遮熱板を配置し、さらにギャラリーを形成し、ギャラリーの近傍にヒータを配置することを特徴とする。【選択図】図３Ｂ
2015089308.tif 000002
【特許請求の範囲】
【請求項１】
太陽光発電システムの配電盤であって、
前記配電盤の扉部、側面部又は背面部の全て又はいずれかに遮熱板を配置することを特徴とする配電盤。
【請求項２】
太陽光発電システムの配電盤であって、
パワーコンディショナを収納した該配電盤のパワーコンディショナ収納室の扉部、側面部又は背面部の全て又はいずれかに配置した遮熱板の両側を折り曲げて折り曲げ部を形成し、
該折り曲げ部を前記扉部、側面部又は背面部に当てて接触させ、空間に空気層を形成することを特徴とする配電盤。
【請求項３】
太陽光パネルからの直流電力を交流電力に変換するインバータを有したパワーコンディショナを備えた太陽光発電システムの配電盤であって、
前記配電盤の扉部、側面部又は背面部の全て又はいずれかにギャラリーを形成することを特徴とする配電盤。
【請求項４】
請求項３記載の配電盤であって、
前記パワーコンディショナを収納したパワーコンディショナ収納室の扉部、側面部又は背面部の全て又はいずれかにギャラリーを下側に形成し、
該ギャラリーは、金属板に外側にかつ下向きに長手方向に突き出た円弧状膨出部を複数段形成し、該円弧状膨出部の内側は通気孔を形成したことを特徴とする配電盤。
【請求項５】
請求項４記載の配電盤であって、
前記ギャラリーの下側にヒータを配置したことを特徴とする配電盤。
【請求項６】
請求項５記載の配電盤であって、
前記ヒータは、ファン付ヒータ、カバー付きヒータ、又は面ヒータを用いることを特徴とする配電盤。
【請求項７】
請求項５記載の配電盤であって、
前記ヒータの電源は、太陽光発電システムより供給し、直流電力又は交流電力で使用することを特徴とする配電盤。
【請求項８】
請求項３記載の配電盤であって、
前記ギャラリーを前記配電盤の内側より箱状のギャラリー蓋で覆う構成とし、
該ギャラリー蓋を開閉可能としたことを特徴とする配電盤。
【請求項９】
請求項８記載の配電盤であって、
前記ギャラリー蓋の開閉制御は、前記配電盤の外気温をサーモスタットで計測し、該サーモスタットの温度データにより前記ギャラリー蓋に配置した回転機構をモータ制御により開閉することを特徴とする配電盤。
【請求項１０】
請求項１及び３に記載の配電盤において、
前記ギャラリーを配置した遮熱板は、該ギャラリーの高さ位置とほぼ同じ位置にすることを特徴とする配電盤。
【発明の詳細な説明】
【技術分野】
【０００１】
本発明は、太陽光発電システムにおいて、太陽光パネルより得られた直流電力をパワーコンディショナによって交流電力に変換し、これらの機器を配置し、電力系統に接続する屋外に設置する配電盤に関する。
【背景技術】
【０００２】
近年、地球温暖化防止に向けたＣＯ２削減の国際的な取組みなど環境保全意識の高まりを背景に、太陽光発電システムの普及が拡大しつつある。この太陽光発電システムにおいて、太陽の光エネルギーは太陽電池モジュールによって直流電力に変換され、この直流電力がパワーコンディショナによって交流電力に変換されて電力系統に接続され、売電可能となる。
【０００３】
具体的には、パワーコンディショナにおいては、太陽電池の出力を受けてこれを所定の交流に変換するインバータを備え、インバータの出力を変圧器により系統電圧に変換し、電力系統と接続される。パワーコンディショナの構成は、インバータ、フィルタ、制御回路などからなる。太陽光パネルの出力電圧をインバータにて交流電圧に変換し、出力している。また「再生可能エネルギーの固定価格買取制度」においては、１０ｋＷ以上のパワーコンディショナの場合、６，６００Ｖの電力系統へ連系するための変圧器や遮断器が必要となり、それらを納めた配電盤の普及も拡大している。
【０００４】
また、太陽光発電システムは、６，６００Ｖの電力系統と連系するため、系統連系規定に従った機器にて電力系統と接続する必要があり、高圧遮断器、地絡過電圧継電器、変圧器、パワーコンディショナ、太陽光パネル等を設置する。高圧遮断器、地絡過電圧継電器、変圧器、パワーコンディショナは近傍に設置することが多いが、屋外設置の場合は高圧遮断器、地絡過電圧継電器、変圧器を納めた受電盤とパワーコンディショナを納めた制御盤に分割され、一般的には屋外設置となる。産業用パワーコンディショナが１０ｋＷ以上となった場合、自然空冷では冷却能力が不足する為、冷却ファンによる強制空冷が必要となる。強制空冷を行う場合、換気口には雨水の浸入を防止するギャラリーや粉塵の侵入を防止する防塵フィルタを取付け、雨水や粉塵の浸入を防止しなければならない。
【０００５】
また、特許文献１（特開２０００-１３９３４号公報）には、屋外形スイッチギヤにおいて、積雪による換気不能を防ぎ、さらに、結露の箱体内への落下を防止し、外観を良好にするために、遮断器，母線，ケーブル等が収納されたスイッチギヤ箱体と、箱体の上面を覆った内天井板と、内天井板の上方に間隔を設けて設置された外天井板と、外天井板の下面に装着された断熱材と、内天井板に形成された開口と、開口の上方に設けられ，断熱材からの結露の開口への落下を防ぐ防止板と、開口の周縁から上方へ形成され，結露の開口への流入を防止する防止片と、外天井板の前部と箱体との間に形成され，開口からの排気を排出する排気用換気口とを備えることが記載されている。
【０００６】
また、引用文献２（特開２０１１-１７６９００号公報）には、屋外設置の配電盤は太陽光熱、太陽光の浸透熱、収納機器の発熱等により配電盤として内部温度を抑制するため、機器が収容され天井部に通気口を有する筺体と、この筺体の天井部に該筺体に対して回動可能に設けられ、閉じたときに上記天井部を塞ぎ、開いたときに上記天井部を開放する天井開閉ユニットと、この天井開閉ユニットを開閉させる駆動装置と、上記筺体内部の温度を検知する温度センサと、この温度センサの検知結果に応じて上記駆動装置を制御する制御装置と、を備えることが記載されている。
【先行技術文献】
【特許文献】
【０００７】
【特許文献１】特開２０００-１３９３４号公報
【特許文献２】特開２０１１-１７６９００号公報
【発明の概要】
【発明が解決しようとする課題】
【０００８】
上記特許文献１には、屋外形スイッチギヤにおいて、積雪による換気不能防止及び箱体内への結露の落下防止の構成について開示されており、箱体内に雪、特にスノーパウダーが侵入することについては開示されていない。
【０００９】
また、上記引用文献２には、屋外設置の配電盤において、太陽光熱対策として配電盤内の温度を温度センサで検知し、天井部を開閉する構成が開示されているが、配電盤内への雪の侵入防止については開示されていない。
【００１０】
また、通常の雨水ではギャラリーの設置でその侵入を防止できるが、北海道に代表される豪雪地帯では雪の粒子が細かいパウダースノーとなっており、防塵フィルタを通過する可能性が高い。また雨水では粒子が大きいため、風に吹かれても下へ水滴が落ちていくが、パウダースノーの場合は非常に軽い為、風に吹かれギャラリーに直接吹きつけられ、ギャラリーを通過し配電盤内部にパウダースノーが侵入する。パウダースノーが内部に侵入した場合、充電部に水分が付着するなど安全性を脅かす可能性がある。
【００１１】
本発明は、上記の雨水以外に雪特にパウダースノーが配電盤内に侵入するのを防止する構成を備え、また太陽光熱により配電盤内の温度が上昇しないようにする構成の太陽光発電システムの配電盤を提供することを目的とする。
【課題を解決するための手段】
【００１２】
上記課題を解決するために、例えば特許請求の範囲に記載の構成を採用する。本願は、上記課題を解決する手段を複数含んでいるが、その一例を挙げるならば、太陽光パネルからの直流電力を交流電力に変換するインバータを有したパワーコンディショナと、該パワーコンディショナから出力される交流電力を高圧電力に昇圧する変圧器と、該変圧器と既存の電力系統の間に配置された遮断器とを収納した配電盤であって、前記配電盤の扉部、側面部又は背面部の全て又はいずれかに遮熱板を配置することを特徴とする。また、前記配電盤の扉部、側面部又は背面部の全て又はいずれかにギャラリーを形成することを特徴とする。
【発明の効果】
【００１３】
本発明によれば、配電盤内へのパウダースノーの侵入を防止することができ、豪雪地帯においても安全に運転可能な配電盤を提供できる。
また、配電盤の扉部、側面部、背面部の全て又はいずれかに遮熱板を配置するため、太陽光熱により配電盤内の温度上昇を抑えることができ、安全運転を実施することができる。
【図面の簡単な説明】
【００１４】
【図１】太陽光発電システムの配電盤の接続構成図を示す。
【図２】本発明の配電盤の外観斜視図を示す。
【図３Ａ】本発明の配電盤のパワーコンディショナ収納室の外観斜視図及び部分拡大図を示す。
【図３Ｂ】配電盤のパワーコンディショナ収納室の扉の遮熱板を外した状態の外観斜視図を示す。
【図３Ｃ】図３ＡのＡ側面図を示す。
【図３Ｄ】配電盤のパワーコンディショナ収納室の扉側の上面図及びその一部拡大図を示す。
【図３Ｅ】配電盤のパワーコンディショナ収納室の扉に配置するギャラリーの斜視図及びその一部断面図を示す。
【図４Ａ】配電盤にヒータを配置する場合の太陽光発電システムの接続構成図を示す。
【図４Ｂ】配電盤のパワーコンディショナ収納室の扉の内側にヒータを配置した場合の部分断面図を示す。
【図４Ｃ】配電盤のパワーコンディショナ収納室の扉のギャラリーの背面側に面状ヒータを配置した場合の部分断面図を示す。
【図５Ａ】配電盤の外気温を計測し、ギャラリー蓋を制御する機能を有した太陽光発電システムの接続構成図を示す。
【図５Ｂ】配電盤のパワーコンディショナ収納室の扉に配置したギャラリー蓋を開閉する制御システムブロック図を示す。
【発明を実施するための形態】
【００１５】
以下、本発明の実施の形態を図面を用いて説明する。
（実施例１）
本発明の実施例１について図１を用いて説明する。図１は、本発明の太陽光発電システムの配電盤の接続構成図を示し、１０は屋外に設置した配電盤、１１は電力を受電設備に供給するための電力系統、１２は電力機器の正常動作時の負荷電流を開閉し、保護継電器を連携して短絡事故電流を遮断し負荷側の設備を保護する遮断器、１３は交流電力の電圧値を変換する変圧器、１４は太陽光発電システムで発電された電気を電力系統へ送電できるように直流電力を交流電力に変換するパワーコンディショナ、１５は電力系統の地絡事故を検出し、警報信号を発する地絡過電圧継電器（ＯＶＧＲ：Ｏｖｅｒ  Ｖｏｌｔａｇｅ  Ｇｒｏｕｎｄ  Ｒｅｌａｙ）、１６は太陽電池を複数並べて接続しパネル状にした太陽光パネルである。
【００１６】
太陽光パネル１６から出力される直流電力は、インバータ、フィルタリアクトル、フィルタコンデンサなどで構成されるパワーコンディショナ１４に入力され、インバータで三相交流に変換し、フィルタ回路で高調波分をカットする。そして、変圧器１３により電圧を昇圧し、系統電圧に変換し、遮断器１２を介して電力系統１１に出力し売電する。また、変圧器１３の出力は、地絡が発生したことを知らせる地絡過電圧継電器１５に接続されている。また、図１において、ＭＣＣＢ（Ｍｏｌｄｅｄ  Ｃａｓｅ  Ｃｉｒｃｕｉｔ  Ｂｒｅａｋｅｒ）は回路遮断器で、ＭＣ（Ｍａｇｎｅｔｉｃ  Ｃｏｎｔａｃｔｏｒ）は電磁接触器、ＩＮＶ（Ｉｎｖｅｒｔｅｒ）はインバータである。
【００１７】
次に、屋外に設置する太陽光発電システムの配電盤について説明する。図２は、本発明の配電盤の外観斜視図を示す。図２において、１０は配電盤の本体で、２０はインバータなどのパワーコンディショナを納めたパワーコンディショナ収納室の扉で、２１は遮断器などを収納した室で、その後ろには変圧器１３を配置し、外気で冷却する。２２は配電盤１０のベース、２３は屋根、２４はパワーコンディショナ収納室の上側の屋根２３に配置した冷却ファンである。２５は屋根のコーナ部に配置した吊具で、配電盤１０を設置するときや撤去するときクレーンで吊り上げるときや吊り下げるときに使用する。２６，２７は配電盤の扉に配置した取手である。パワーコンディショナのインバータが納められているパワーコンディショナ収納室は、インバータが動作すると発熱し室内の温度が上昇するため、屋根に設けた冷却ファン２４を駆動し強制冷却して温度上昇を防止している。
【００１８】
次に、屋外に配置する配電盤のパワーコンディショナ収納室について説明する。図３Ａにおいて、図３Ａ(ａ)はパワーコンディショナ収納室の外観斜視図で、図３Ａ（ｂ）はその一部分の拡大図を示す。図３Ａ（ａ）において，配電盤は屋外に設置した場合、直射日光の影響を受け、配電盤のパワーコンディショナ収納室内の温度が上昇する。この直射日光によりパワーコンディショナ収納室内の温度が上昇しないように、配電盤の扉は二重になるように表面に遮熱板２０を配置する。そして、扉２９と遮熱板２０の間には空間を設け空気層を形成する。遮熱板２０は、図３Ｂに示すように扉２９の上に配置し、１枚の金属板で形成し、強制冷却の場合は、遮熱板の両側面や下側から空気を取り入れる。また、図３Ａ（ａ）において、配電盤の側面側も同じように遮熱板２８を全面に配置（図において面積が広いので２枚の遮熱板を並べて配置している）し、図示していないが背面側も遮熱板を全面に配置する。
【００１９】
ここで、図３Ａ（ａ）においては、配電盤のパワーコンディショナ収納室の扉部、側面部、背面部にそれぞれ遮熱板を配置し二重にする構成を示しているが、全てに配置しなくても、扉部、側面部、背面部のいずれかに配置しても良い。また、配電盤の遮断器などを収納する室においてもパワーコンディショナ収納室と同じように、遮熱板を扉部、側面部、背面部の全面またはいずれかに配置することもできる。ベース２２は、コ字形状のフレームを矩形状に組み合わせて形成し、天井の屋根２３は前面側の厚みを大きくし、背面側にいくに従い厚みを小さくして傾斜を持たせている。このような構成により雨水が流れ易く、また積雪が起こり難くしている。
【００２０】
また、図３Ａ（ｂ）において、配電盤の扉側すなわち正面側および背面側の遮熱板２０（不図示）の両側を扉側に折り曲げて、遮熱板２０と扉２９との間隙をなくすために折り曲げ部２０１を扉２９に当てて接触させる。また、扉側すなわち正面側および背面側の遮熱板２０の両側の折り曲げ部２０１の高さは、図３Ｂに示すようにギャラリー３０の高さとほぼ同じにする。折り曲げ部高さが低い場合、ギャラリー部へのパウダースノーの侵入を十分に抑止できなくなる。反対に、折り曲げ部高さが高い場合、強制換気による換気が不足し、盤内温度が上昇することでパワーコンディショナが停止してしまう恐れがある。
【００２１】
配電盤の側面側の遮熱板２８の両側は、正面側とは異なり、ギャラリーを配置しないため、折り曲げ部を設ける必要がないので、空間のみを設け空気層を形成し、太陽光からの直射日光による遮熱板の熱を壁面に伝達し難いようにしている。配電盤の側面側にギャラリーを配置する場合には、遮熱板の折り曲げ部高さはギャラリーの高さとする。
【００２２】
次に、図３Ｂの配電盤の正面側の遮熱板２０を分解した斜視図において、扉２９に配置したギャラリー３０について説明する。図３Ｂにおいて、配電盤の正面側の扉２９の下側に３列、垂直方向に横長の通気孔を有したギャラリー３０を配置する。ギャラリー３０の形状は、図３Ｅ（ａ）及び図３Ｅ（ｂ）に示しているように、１枚の金属板をプレス加工などにより外側にかつ下向きに突き出た長手方向の円弧状膨出部３０１を複数段形成し、膨出部３０１の下部は通気孔３０２が形成される。このようなギャラリー３０の構成により雨水や降雪などが上部から配電盤内に侵入するのを防止することができ、通気も可能なためパワーコンディショナの強制冷却も可能となる。また、ギャラリー３０の形状を図３Ｅ（ｃ）に示すように、外側に突き出した長手方向の平板形状においても上部からの雨水や降雪などの侵入は防止できる。
【００２３】
次に、配電盤１０の下側の側面について、図を用いて説明する。図３Ｃは、配電盤の下側の側面の一部で、扉部分の縦方向の断面図を示す。図３Ｃにおいて、配電盤の正面側の扉２９にはギャラリー３０を配置するための孔２９２を形成し、扉２９の上にギャラリー３０を配置する。またギャラリー３０の上側にはギャラリー３０及び扉２９を覆うように遮熱板２０を配置している。扉２９は、直射日光が当たらないよう可能な限り全面を覆い、ギャラリー３０は側面からのスノーパウダーを防止するためにギャラリー側面部を覆う。遮熱板２０の下側の端部２０２は折り曲げて扉２９に当てて接触させて、遮熱板２０と扉２９との間に空気層を形成する。遮熱板２０と扉２９とは固定用ボス３１を複数箇所配置して、一定距離を保つように固定している。
【００２４】
次に、配電盤の正面側の扉２９の上面から視た構造について、図３Ｄを用いて説明する。図３Ｄにおいて、図３Ｄ（ａ）は配電盤のパワーコンディショナ収納室の扉の上面図を示し、図３Ｄ（ｂ）はその扉の一部分を拡大した拡大図を示す。図３Ｄ（ａ）において、扉２９の水平方向に対してギャラリー３０を３列配置してギャラリー３０のフランジ部をネジなどで扉２９に固定する。また、遮熱板２０は扉２９と固定用ボスにより一定の高さに固定されている。また、図３Ｄ（ｂ）の部分拡大上面図において、３２はフレームで、配電盤の骨組を構成しており、図示していないが扉２９のヒンジなどが配置されている。遮熱板２０の両側は折り曲げて扉２９の端部に当てて接触させて空間を設け、空気層を形成して二重構造とし、遮熱板の熱が扉に伝わらないようにしている。
【００２５】
また、遮熱板２０の底部の端面も図３Ｃに示したように折り曲げて折り曲げ部２０２を形成し、扉２９に当てて接触させて空気層を形成しているが、図３Ｄ（ｂ）に示すように折り曲げ部２０２の両側の一部を切り取り、孔３１を配置し、遮熱板２０と扉２９との空間に溜まった水を排出する構成とする。
【００２６】
本実施例の遮熱板２０を設けることで、扉２９への直射日光を防ぎつつ、強制換気構造においてもスノーパウダーの侵入を防止することが可能となり、かつ遮熱板２０と扉２９との空間に溜まった水なども排出することが可能となる。
【００２７】
（実施例２）
次に、本発明の実施例２のヒータを用いた配電盤の構成について、図を用いて説明する。図４Ａは、太陽光発電システムにおいて、ヒータを用いた場合の配電盤の接続構成図を示し、図４Ａにおいて、４０はヒータで、４１（点線）はヒータ４０の電源を太陽光パネル１６の出力すなわち直流電力を使用する電源線で、４２（実線）はヒータ４０の電源をパワーコンディショナ１４の出力すなわち交流電力を使用する電源線を示している。配電盤で使用するヒータの電力は、太陽光発電システムで得られた電力で賄う構成とし、直流電力でも交流電力でも使用できるようにしている。
【００２８】
次に、配電盤にヒータを用いた具体的な構成について、図４Ｂを用いて説明する。図４Ｂにおいて、図４Ｂ（ａ）は配電盤の扉の内側のギャラリーの下側にファン付ヒータを配置した場合の部分側面図を示し、図４Ｂ（ｂ）は配電盤の扉の内側のギャラリーの下側にカバー付ヒータを配置した場合の部分側面図を示す。図４Ｂ（ａ）において、ファン付ヒータはファン４１とヒータ４２とで構成され、扉２９の内側で扉２９に配置したギャラリー３０の下側に配置し、ギャラリー３０から入り込む雪、特にパウダースノーに向けて吹き出して溶かし、配電盤内への侵入を防止する。また、パウダースノーを融雪する温度は高温にする必要はなく、４０〜５０℃くらいの温風で良い。
【００２９】
このように、配電盤内に雪が侵入したとしても、ヒータにて融かされ、水滴となってヒータ近傍に落ちるため、内部機器が濡れることがなくなり、付属されているファン４１とヒータ４２によって水分を含んだ空気が強制的に換気されて、乾燥されることで水分が蒸発し、安全に運転可能となる。
【００３０】
次に、図４Ｂ（ｂ）はヒータをカバーしたカバー付ヒータ４３を配電盤の扉２９の内側で、ギャラリー３０の下側に配置し、ギャラリー３０から入り込む雪特にパウダースノーを融雪し、配電盤内への侵入を防ぐ。カバー付ヒータ４３は、一般にスペースヒータに孔の打ち抜き鋼板の放熱カバーを設けたものである。また、カバー付ヒータ４３は配電盤の正面扉のギャラリー３０の幅方向の長さと同じ長さ分配置する。このようにギャラリー下側にヒータを取り付けることで、配電盤内への雪の侵入を防止する配電盤を提供できる。
【００３１】
次に、配電盤の扉に配置したギャラリーの後方に面ヒータを配置した構成について、図４Ｃを用いて説明する。図４Ｃはギャラリー３０の背面に面ヒータ４４を配置した図を示す。面ヒータ４４は、ステンレス箔を発熱体としてポリ意味土、枚化などの絶縁物で挟んで構成するもの、柔軟性で強度に優れたシリコンラバーヒータ、軽くて取り付けが簡単なアルミ箔ヒータ、面状カーボンを発熱体として用いたカーボンヒータなどを用いる。
【００３２】
本実施例のヒータを設けることで、配電盤内への雪の侵入を防止することができ、内部機器の絶縁破壊などによる重大事故の抑制が可能となる。
【００３３】
（実施例３）
次に、本発明の実施例３について図を用いて説明する。
実施例３は、配電盤の正面扉の内側に扉に配置したギャラリーを覆う蓋を取り付け、外気温度により蓋を開閉することで、雪特にパウダースノーの侵入を防止するものである。図５Ａは、配電盤の外気温を計測し、扉のギャラリーの蓋を開閉する制御機能を有した太陽光発電システムの接続構成図を示す。図５Ａにおいて、５１はサーモスタットで、配電盤１０の外気温を計測し、計測した温度データをパワーコンディショナ１４内の制御部５３に送信する。その温度データにより判定を行い、ギャラリーの蓋の開閉制御を行う。これにより、外気温が上昇した場合には、盤内温度上昇を抑制するためにギャラリーの蓋を開いて換気量を増大させ、外気温が下降した場合には、内部機器保護のためにギャラリーの蓋を閉じて雪の侵入を防止する。また、制御部５３は扉に配置したギャラリーを覆う蓋の開閉を制御する。制御部５３は直流電力で駆動するため、ＩＮＶ（インバータ）の前段に接続する。
【００３４】
次に、実施例３のギャラリーの蓋を開閉駆動する制御システムブロック図を図５Ｂに示す。図５Ｂにおいて、配電盤の正面側（図５Ｂの右側）の扉の下側に配置したギャラリー３０の裏側を覆う箱状のギャラリー蓋５０を配置する。ギャラリー蓋５０は、下方の端部に形成した回転軸５５により時計方向及び反時計方向に回転駆動し、開閉可能となる。
【００３５】
図５Ｂで、点線のギャラリー蓋５０は開状態と示し、実線のギャラリー蓋５０は閉状態を示している。実施例３のギャラリー蓋５０の開閉制御システムは、先ず配電盤１０の外気温をサーモスタット５１にて計測する。温度計測５２はサーモスタット５１にて配電盤１０の外気温を計測し、温度データを制御部５３へ送信する。
【００３６】
制御部５３は、外気温の温度が高い場合はギャラリー蓋５０を開け、強制空冷を行い、配電盤内の温度上昇を防止する。外気温が高い場合は雪が降る可能性は小さく、ギャラリー３０より空気を取り込んでも雨水が浸入することはなく、安全に運転することができる。
【００３７】
また、外気温が低い場合は、降雪の可能性が想定されるため、降雪によりギャラリー３０から雪特にパウダースノーが侵入する可能性が考えられる。このような場合、外気温が低いためギャラリー５０の通気孔を介して強制空冷を実施する必要はなく、配電盤内の温度が上昇することはない。従って、強制空冷運転を停止し、ギャラリー３０をギャラリー蓋５０で締めることで雪特にパウダースノーの侵入を防止できる。制御部５３は、上記の制御を行い、ギャラリー蓋５０を開閉するためにモータ５４に回転軸５５の動作信号を送り制御している。
【００３８】
本実施例のギャラリーの蓋を設けることで、外気温の低下による降雪が発生した場合、ギャラリーの蓋が閉じることにより配電盤内への雪の侵入を防止できるので、内部機器の絶縁破壊などによる重大事故の抑制ができ、安全な運転が可能となる。また、外気温の上昇により盤内温度が上昇した場合、ギャラリーの蓋が開くことにより、パワーコンディショナが停止することなく運転し続け、効果的な発電が可能となる。
【符号の説明】
【００３９】
１０‥配電盤
１１‥電力系統
１２‥遮断器
１３‥変圧器
１４‥パワーコンディショナ
１５‥地絡過電圧継電器
１６‥太陽光パネル
２０‥遮熱板
２２‥配電盤のベース
２３‥屋根
２４‥冷却ファン
２５‥吊具
２６，２７‥取手
２９‥扉
３０‥ギャラリー
２０１‥折り曲げ部
４１‥ファン
４２‥ヒータ
４３‥カバー付ヒータ
４４‥面ヒータ
５０‥ギャラリー蓋
５１‥サーモスタット
５２‥温度計測
５３‥制御部
５４‥モータ
５５‥回転軸
【図１】
2015089308.tif 000003
【図２】
2015089308.tif 000004
【図３Ａ】
2015089308.tif 000005
【図３Ｂ】
2015089308.tif 000006
【図３Ｃ】
2015089308.tif 000007
【図３Ｄ】
2015089308.tif 000008
【図３Ｅ】
2015089308.tif 000009
【図４Ａ】
2015089308.tif 000010
【図４Ｂ】
2015089308.tif 000011
【図４Ｃ】
2015089308.tif 000012
【図５Ａ】
2015089308.tif 000013
【図５Ｂ】
2015089308.tif 000014